(57)【要約】【課題】主に各種電子機器に使用される開閉装置に関し、中間角度での保持が確実に行え、多様な操作が可能なものを提供することを目的とする。【解決手段】内周に可動ピン２６が形成された可動体２５外周に、固定体１の方向へ突出する可動カム２７を設けると共に、可動ピン２６が固定カム２を弾接摺動した後、可動カム２７が弾接する窪部２４Ａを、固定ケース２４外周に形成することによって、可動筐体３２を開閉途中の中間角度に開いた状態で保持する際、可動体２５外周の可動カム２７が固定ケース２４外周の窪部２４Ａに弾接し、大きなトルク力で可動カム２７を窪部２４Ａに係合させることができるため、中間角度での確実な保持が行え、多様な操作が可能な開閉装置３０、及びこれを用いた電子機器を得ることができる。【選択図】図１
2012215282.tif 000002
【特許請求の範囲】
【請求項１】
固定カムが形成された固定体と、この固定体を収納する略円筒状の固定ケースと、内周に可動ピンが形成された可動体と、上記可動体を上記固定体の方向へ付勢するばねからなり、上記可動体外周に上記固定体の方向へ突出する可動カムを設けると共に、上記可動ピンが上記固定カムを弾接摺動した後、上記可動カムが弾接する窪部を上記固定ケース外周に形成した開閉装置。
【請求項２】
請求項１記載の開閉装置と、上面に操作部が形成された固定筐体と、前面に表示部が形成された可動筐体からなり、開閉装置の固定ケースを上記固定筐体に、可動ケースを上記可動筐体に固着した電子機器。
【請求項３】
請求項１記載の開閉装置と、上面に表示部が形成された固定筐体と、上面に表示部が形成された可動筐体と、略アーム状の連結部材からなり、上記開閉装置の固定ケースと可動ケースを、上記連結部材の下端と上記固定筐体に固着すると共に、上記連結部材の上端を上記可動筐体に回転可能に装着した電子機器。
【発明の詳細な説明】
【技術分野】
【０００１】
本発明は、主に携帯電話や電子辞書、パーソナルコンピュータ等の各種電子機器に使用される開閉装置、及びこれを用いた電子機器に関するものである。
【背景技術】
【０００２】
近年、携帯電話や電子辞書、パーソナルコンピュータ等の電子機器の多様化や高機能化が進むなか、固定筐体に対し可動筐体を開閉させて、様々な操作を行うものが増えており、これらに用いられる開閉装置においても、良好な感触で多様な操作を行えるものが求められている。
【０００３】
このような従来の開閉装置と電子機器について、図９〜図１２を用いて説明する。
【０００４】
図９は従来の開閉装置の断面図、図１０は同分解斜視図であり、同図において、１は略円筒状の固定体で、外周には外方へ突出した一対の固定カム２が設けられている。
【０００５】
そして、３は略円柱状の固定軸、４は略円筒状の固定ケースで、固定ケース４内に固定体１が収納されると共に、固定軸３の中間部に固定体１と固定ケース４が各々固着されている。
【０００６】
また、５は略リング状の可動体で、固定体１に対し開閉方向へ回転可能に、かつ軸線方向へ移動可能に配置されると共に、内周には内方へ突出した一対の可動ピン６が形成されている。
【０００７】
さらに、７は略円筒状の可動ケースで、外周の溝部に可動体５外周の凸部が挿入され、可動体５が可動ケース７に対し軸線方向へは移動可能で、回転方向へは一体となって回転するようにして、可動ケース７内に収納されている。
【０００８】
また、可動ケース７の左端開口部には固定ケース４が回転可能に装着されると共に、固定軸３が可動体５や可動ケース７内を挿通し、右端が止め輪８によって可動ケース７外側面に回転可能に装着されている。
【０００９】
そして、９はコイル状に巻回されたばねで、可動体５右側面と可動ケース７内側面の間にやや撓んだ状態で装着され、このばね９によって、可動体５が左方の固定体１の方向へ付勢されている。
【００１０】
さらに、１０は略円筒状の反転体、１１は略リング状の解除体で、反転体１０右端には右方へ突出する一対の反転カム１２が、解除体１１右端には凹凸状の解除カム１３が各々形成されている。
【００１１】
そして、反転カム１２の傾斜面には窪部１２Ａが設けられると共に、反転体１０が軸線方向へ移動可能なように、解除体１１が回転可能なようにして、反転体１０と解除体１１が固定ケース４に各々装着されている。
【００１２】
また、１４は右端に右方へ突出する押圧カム１５が形成された押圧体、１６は巻ばねで、巻ばね１６がやや捩られた状態で一端が解除体１１に、他端が押圧体１４に係止されると共に、押圧体１４が固定軸３左端に軸線方向へ移動可能に装着され、固定ケース４から左方へ突出して、開閉装置２０が構成されている。
【００１３】
そして、このように構成された開閉装置２０が、例えば、図１２（ｂ）の携帯電話の斜視図に示すように、固定ケース４が、上面に複数のキーを配列した操作部３１Ａやマイクロフォン等の音声入力部３１Ｂが形成された固定筐体３１に、可動ケース７が、前面に液晶表示素子等の表示部３２Ａやスピーカ等の音声出力部３２Ｂが形成された可動筐体３２に各々固着される。
【００１４】
また、押圧体１４には押釦（図示せず）等が装着され、この押釦が固定筐体３１側面から突出すると共に、上記のように開閉装置２０によって、固定筐体３１に対して可動筐体３２が開閉可能に軸支されて電子機器が構成される。
【００１５】
以上の構成において、図１２（ａ）に示すように、固定筐体３１に対して可動筐体３２が閉じた状態では、開閉装置２０は、図１１（ａ）のカム動作図に示すように、可動体５の方向へ突出した反転カム１２の、下側の傾斜面に可動ピン６が弾接し、可動体５がばね９によって下方向の閉方向へ付勢されているため、可動ケース７が装着された可動筐体３２には閉方向への付勢力がはたらき、可動筐体３２が閉じた状態で保持されている。
【００１６】
そして、この閉状態から、指で固定筐体３１側面の押釦を押圧操作すると、図１１（ｂ）に示すように、押釦が装着された押圧体１４の押圧カム１５が解除カム１３を押圧して、解除体１１が巻ばね１６を撓めながら下方向へ回転し、解除カム１３が反転カム１２左端から外れるため、反転カム１２が左方向へ移動する。
【００１７】
このため、図１１（ｃ）に示すように、ばね９に付勢された可動ピン６が、固定カム２や反転カム１２上側の傾斜面に弾接して上方向へ回転し、可動体５が上方向の開方向へ付勢されるため、この力によって可動ケース７と、これが装着された可動筐体３２には開く方向の力が加わる。
【００１８】
そして、図１１（ｄ）に示すように、可動ピン６が反転カム１２上側の傾斜面上を弾接摺動した後、図１１（ｅ）に示すように、反転カム１２傾斜面の窪部１２Ａに可動ピン６が弾接した状態では、図１２（ｂ）に示すように、可動筐体３２が固定筐体３１に対して中間角度で、例えば１３５度前後開いた状態で保持され、表示部３２Ａを見ながら操作部３１Ａを操作して、例えば電子メールの入力等を行い易い状態となる。
【００１９】
さらに、この後、可動筐体３２を手で開操作すると、図１１（ｆ）に示すように、可動ピン６が反転カム１２から離れて固定ケース４右端の平坦面に弾接し、図１２（ｃ）に示すように、可動筐体３２が例えば１６５度前後に開き、音声入力部３１Ｂや音声出力部３２Ｂによって、通話の行い易い状態で保持される。
【００２０】
なお、この開状態から可動筐体３２を手で閉じると、上記とは逆に、可動ピン６が固定ケース４右端から、反転カム１２の傾斜面を弾接摺動して窪部１２Ａに弾接し、一旦この状態で保持された後、さらに可動筐体３２を閉じると、可動ピン６が反転カム１２や固定カム２の傾斜面を弾接摺動して、図１１（ａ）や図１２（ａ）に示した状態に戻り、可動筐体３２が携帯し易い閉じた状態となる。
【００２１】
つまり、手による開閉操作に加え、可動筐体３２を開く際には、押釦が装着された押圧体１４の押圧操作によって、可動体５を上方向、すなわち開方向に回転させて、可動筐体３２をワンタッチで開く、所謂ワンタッチオープン操作が行えると共に、例えば電子メールの入力等の行い易い１３５度前後開いた中間角度と、通話の行い易い１６５度前後開いた状態の、二つの角度に可動筐体３２を保持することが可能なように構成されているものであった。
【００２２】
なお、この出願の発明に関連する先行技術文献情報としては、例えば、特許文献１が知られている。
【先行技術文献】
【特許文献】
【００２３】
【特許文献１】特開２００９−２６４５２７号公報
【発明の概要】
【発明が解決しようとする課題】
【００２４】
しかしながら、上記従来の開閉装置や電子機器においては、可動筐体３２を開閉途中の中間角度、例えば１３５度前後に開いた状態で保持する際、可動体５の内周に突出した可動ピン６を、反転カム１２の傾斜面端部に設けた窪部１２Ａに弾接させて保持しているため、可動ピン６の窪部１２Ａへの弾接力が弱く、保持が不安定になってしまうと共に、押圧体１４を押圧操作してワンタッチオープン操作を行った際、可動ピン６が窪部１２Ａでは止まりにくく、実際には１６５度前後まで開いてしまう場合があるという課題があった。
【００２５】
本発明は、このような従来の課題を解決するものであり、中間角度での保持が確実に行え、多様な操作が可能な開閉装置、及びこれを用いた電子機器を提供することを目的とする。
【課題を解決するための手段】
【００２６】
上記目的を達成するために本発明は、内周に可動ピンが形成された可動体外周に、固定体の方向へ突出する可動カムを設けると共に、可動ピンが固定カムを弾接摺動した後、可動カムが弾接する窪部を固定ケース外周に形成して開閉装置を構成したものであり、可動筐体を開閉途中の中間角度に開いた状態で保持する際、可動体外周の可動カムが固定ケース外周の窪部に弾接し、大きなトルク力で可動カムを窪部に係合させることができるため、中間角度での確実な保持が行え、多様な操作が可能な開閉装置、及びこれを用いた電子機器を得ることができるという作用を有するものである。
【発明の効果】
【００２７】
以上のように本発明によれば、中間角度での保持が確実に行え、多様な操作が可能な開閉装置、及びこれを用いた電子機器を実現することができるという有利な効果が得られる。
【図面の簡単な説明】
【００２８】
【図１】本発明の第１の実施の形態による開閉装置の断面図
【図２】同分解斜視図
【図３】同カム動作図
【図４】同電子機器の斜視図
【図５】本発明の第２の実施の形態による電子機器の分解斜視図
【図６】同斜視図
【図７】同斜視図
【図８】同分解斜視図
【図９】従来の開閉装置の断面図
【図１０】同分解斜視図
【図１１】同カム動作図
【図１２】同電子機器の斜視図
【発明を実施するための形態】
【００２９】
以下、本発明の実施の形態について、図１〜図８を用いて説明する。
【００３０】
なお、背景技術の項で説明した構成と同一構成の部分には同一符号を付して、詳細な説明を簡略化する。
【００３１】
（実施の形態１）
実施の形態１を用いて、本発明の特に請求項１及び２記載の発明について説明する。
【００３２】
図１は本発明の第１の実施の形態による開閉装置の断面図、図２は同分解斜視図であり、同図において、１は略円筒状で鋼や銅合金、焼結合金等の固定体で、外周には外方へ突出した一対の固定カム２が設けられている。
【００３３】
そして、３は略円柱状で金属製の固定軸、２４は略円筒状で金属製の固定ケースで、固定ケース２４の右端外周には窪部２４Ａが設けられると共に、この固定ケース２４内に固定体１が収納され、固定軸３の中間部に固定体１と固定ケース２４が各々固着されている。
【００３４】
また、２５は略リング状で金属製の可動体で、固定体１に対し開閉方向へ回転可能に、かつ軸線方向へ移動可能に配置されると共に、内周には内方へ突出した一対の可動ピン２６が、左端外周には固定体１の方向へ突出する一対の可動カム２７が各々形成されている。
【００３５】
さらに、７は略円筒状で金属製の可動ケースで、外周の溝部に可動体２５外周の凸部が挿入され、可動体２５が可動ケース７に対し軸線方向へは移動可能で、回転方向へは一体となって回転するようにして、可動ケース７内に収納されている。
【００３６】
また、可動ケース７の左端開口部には固定ケース２４が回転可能に装着されると共に、固定軸３が可動体２５や可動ケース７内を挿通し、右端が止め輪８によって可動ケース７外側面に回転可能に装着されている。
【００３７】
そして、９はコイル状に巻回された鋼線製のばねで、可動体２５右側面と可動ケース７内側面の間にやや撓んだ状態で装着され、このばね９によって、可動体２５が左方の固定体１の方向へ付勢されている。
【００３８】
さらに、２８は略円筒状で金属製の反転体、１１は略リング状の解除体で、反転体２８右端には右方へ突出する一対の反転カム２９が、解除体１１右端には凹凸状の解除カム１３が各々形成されている。
【００３９】
そして、反転体２８が軸線方向へ移動可能なように、解除体１１が回転可能なようにして、反転体２８と解除体１１が固定ケース２４に各々装着されている。
【００４０】
また、１４は右端に右方へ突出する押圧カム１５が形成された押圧体、１６は巻ばねで、巻ばね１６がやや捩られた状態で一端が解除体１１に、他端が押圧体１４に係止されると共に、押圧体１４が固定軸３左端に軸線方向へ移動可能に装着され、固定ケース２４から左方へ突出して、開閉装置３０が構成されている。
【００４１】
そして、このように構成された開閉装置３０が、例えば、図４（ｂ）の携帯電話の斜視図に示すように、固定ケース２４が、上面に複数のキーを配列した操作部３１Ａやマイクロフォン等の音声入力部３１Ｂが形成された固定筐体３１に、可動ケース７が、前面に液晶表示素子等の表示部３２Ａやスピーカ等の音声出力部３２Ｂが形成された可動筐体３２に各々固着される。
【００４２】
また、押圧体１４には押釦（図示せず）等が装着され、この押釦が固定筐体３１側面から突出すると共に、上記のように開閉装置３０によって、固定筐体３１に対して可動筐体３２が開閉可能に軸支されて電子機器が構成される。
【００４３】
以上の構成において、図４（ａ）に示すように、固定筐体３１に対して可動筐体３２が閉じた状態では、開閉装置３０は、図３（ａ）のカム動作図に示すように、可動体２５の方向へ突出した反転カム２９の、下側の傾斜面に可動ピン２６が弾接し、可動体２５がばね９によって下方向の閉方向へ付勢されているため、可動ケース７が装着された可動筐体３２には閉方向への付勢力がはたらき、可動筐体３２が閉じた状態で保持されている。
【００４４】
そして、この閉状態から、指で固定筐体３１側面の押釦を押圧操作すると、図３（ｂ）に示すように、押釦が装着された押圧体１４の押圧カム１５が解除カム１３を押圧して、解除体１１が巻ばね１６を撓めながら下方向へ回転し、解除カム１３が反転カム２９左端から外れるため、反転カム２９が左方向へ移動する。
【００４５】
このため、図３（ｃ）に示すように、ばね９に付勢された可動ピン２６が、固定カム２や反転カム２９上側の傾斜面に弾接して上方向へ回転し、可動体２５が上方向の開方向へ付勢されるため、この力によって可動ケース７と、これが装着された可動筐体３２には開く方向の力が加わる。
【００４６】
そして、図３（ｄ）に示すように、可動ピン２６が固定カム２や反転カム２９上側の傾斜面上を弾接摺動すると共に、可動体２５左端外周の可動カム２７が固定ケース２４右端外周の平坦面を弾接摺動した後、図３（ｅ）に示すように、可動カム２７が窪部２４Ａに弾接した状態では、図４（ｂ）に示すように、可動筐体３２が固定筐体３１に対して中間角度で、例えば１３５度前後開いた状態で保持され、表示部３２Ａを見ながら操作部３１Ａを操作して、例えば電子メールの入力等を行い易い状態となる。
【００４７】
また、この可動カム２７が窪部２４Ａにほぼ垂直に弾接した状態では、ばね９に付勢された可動体２５には上下方向、すなわち開閉方向への付勢力は殆んど加わっておらず、ばね９の付勢力は、固定ケース２４外周の窪部２４Ａに弾接係合した可動体２５の、外周に形成された可動カム２７に大きなトルク力となって加わっているため、多少の力が可動筐体３２に加わった場合でも、可動筐体３２を中間角度に安定して保持できるようになっている。
【００４８】
さらに、この後、可動筐体３２を手で開操作すると、図３（ｆ）に示すように、可動カム２７が窪部２４Ａから外れて固定ケース２４の平坦面を上方向へ弾接摺動し、図４（ｃ）に示すように、可動筐体３２が例えば１６５度前後開に開き、音声入力部３１Ｂや音声出力部３２Ｂによって、通話の行い易い状態で保持される。
【００４９】
なお、押圧操作した後、押釦から指を離すと、押圧カム１５への押圧力がなくなるため、可動ピン２６が所定角度、例えば５０度前後まで固定カム２や反転カム２９上を弾接摺動した後は、巻ばね１６に付勢された解除カム１３が上方向へ戻り、左端を押圧された反転カム２９が右方向へ移動して、これらのカムが元の位置に復帰する。
【００５０】
また、この開状態から可動筐体３２を手で閉じると、上記とは逆に、可動カム２７が固定ケース２４の平坦面を下方向へ弾接摺動して窪部２４Ａに弾接し、一旦この状態で保持された後、さらに可動筐体３２を閉じると、可動ピン２６が反転カム２９や固定カム２の傾斜面を弾接摺動して、図３（ａ）や図４（ａ）に示した状態に戻り、可動筐体３２が携帯し易い閉じた状態となる。
【００５１】
つまり、手による開閉操作に加え、可動筐体３２を開く際には、押釦が装着された押圧体１４の押圧操作によって、可動体２５を上方向、すなわち開方向に回転させて、可動筐体３２をワンタッチで開く、所謂ワンタッチオープン操作が行えると共に、例えば電子メールの入力等の行い易い１３５度前後開いた中間角度と、通話の行い易い１６５度前後開いた状態の、二つの角度に可動筐体３２を保持することが可能なように構成されている。
【００５２】
そして、このように可動筐体３２を中間角度の１３５度前後に開いて保持する際、上述したように、可動体２５外周の可動カム２７を固定ケース２４外周の窪部２４Ａに弾接させ、大きなトルク力で可動カム２７を窪部２４Ａに係合させることによって、特に開閉装置の小径化や小型化を図った場合でも、可動筐体３２を開閉途中の中間角度で、安定した状態で保持できるようになっている。
【００５３】
すなわち、内周に形成された可動ピン２６を、内方に配置された固定カム２や反転カム２９に弾接させ、小さなトルク力で可動筐体３２の中間角度での保持を行うのではなく、可動体２５と固定ケース２４の外周に形成された可動カム２７と窪部２４Ａを弾接させることで、ばね９の付勢力によって可動体２５に生じる大きなトルク力で、可動筐体３２の中間角度での保持が行えるように構成されている。
【００５４】
このように本実施の形態によれば、内周に可動ピン２６が形成された可動体２５外周に、固定体１の方向へ突出する可動カム２７を設けると共に、可動ピン２６が固定カム２を弾接摺動した後、可動カム２７が弾接する窪部２４Ａを、固定ケース２４外周に形成することによって、可動筐体３２を開閉途中の中間角度に開いた状態で保持する際、可動体２５外周の可動カム２７が固定ケース２４外周の窪部２４Ａに弾接し、大きなトルク力で可動カム２７を窪部２４Ａに係合させることができるため、中間角度での確実な保持が行え、多様な操作が可能な開閉装置３０、及びこれを用いた電子機器を得ることができるものである。
【００５５】
（実施の形態２）
実施の形態２を用いて、本発明の特に請求項３記載の発明について説明する。
【００５６】
なお、実施の形態１の構成と同一構成の部分には同一符号を付して、詳細な説明を省略する。
【００５７】
図５は本発明の第２の実施の形態による電子機器の分解斜視図であり、同図において、４１は略箱型で合成樹脂製の固定筐体で、この固定筐体４１内には複数の電子部品が実装された配線基板（図示せず）が収納されて、電子回路（図示せず）が形成されると共に、上面には液晶表示素子等の上に、光透過性のタッチパネル等を載置した表示部４１Ａが設けられている。
【００５８】
そして、４２は同じく合成樹脂製の可動筐体で、可動筐体４２内には固定筐体４１と同様に電子回路が形成されると共に、上面には表示部４１Ａと同様の表示部４２Ａが設けられている。
【００５９】
さらに、４３は略アーム状で合成樹脂または金属製の連結部材で、この連結部材４３の下端に、実施の形態１で説明した開閉装置３０の可動ケース７が、固定筐体４１左側面に固定ケース２４が各々固着され、開閉装置３０を介して連結部材４３下端が固定筐体４１に装着されている。
【００６０】
また、４４は付勢部材で、固定部４４Ａとこれに対して回転可能な可動部４４Ｂの間に、複数のカムやばね（図示せず）等が設けられ、可動部４４Ｂが回転した場合には、これに常に元の位置への復帰力がはたらくように形成されている。
【００６１】
そして、この付勢部材４４の固定部４４Ａが連結部材４３の上端に、可動部４４Ｂが可動筐体４２に各々固着され、付勢部材４４によって可動筐体４２が常に下方へ付勢されると共に、付勢部材４４を介して連結部材４３上端が可動筐体４２に回転可能に装着されている。
【００６２】
さらに、固定筐体４１と可動筐体４２の右側面には、支持体４５上下端の貫通孔が、複数のピン４６Ａと４６Ｂによって、固定筐体４１と可動筐体４２に回転可能に装着されて、電子機器が構成されている。
【００６３】
以上の構成において、図６（ａ）の斜視図に示すように、固定筐体４１に対して可動筐体４２が閉じた状態では、開閉装置３０は、図３（ａ）に示すように、可動体２５の方向へ突出した反転カム２９の、下側の傾斜面に可動ピン２６が弾接し、可動体２５がばね９によって下方向の閉方向へ付勢されているため、可動ケース７が装着された連結部材４３下端には閉方向への付勢力がはたらき、可動筐体４２が閉じた状態で保持されている。
【００６４】
そして、この可動筐体４２が閉じた状態では、可動筐体４２上面の表示部４２Ａに、例えば複数のアイコン等のメニューが表示されていた場合、タッチパネル等を通して背面の液晶表示素子等を見ながら、所望のアイコン上のタッチパネルを押圧あるいは接触操作することによって、所望のアイコン等の選択が行えるようになっている。
【００６５】
また、この閉状態から、指で固定筐体４１側面の押釦を押圧操作すると、図３（ｂ）に示すように、押圧カム１５が解除カム１３を押圧して、解除体１１が巻ばね１６を撓めながら下方向へ回転して、反転カム２９が左方向へ移動した後、図３（ｃ）に示すように、可動ピン２６が固定カム２や反転カム２９上側の傾斜面に弾接して上方向へ回転し、可動体２５が上方向の開方向へ付勢されるため、この力によって可動ケース７と、これが装着された連結部材４３下端には開く方向の力が加わり、図６（ｂ）に示すように、可動筐体４２が開操作される。
【００６６】
そして、図３（ｄ）に示すように、可動ピン２６が固定カム２や反転カム２９上側の傾斜面上を弾接摺動すると共に、可動カム２７が固定ケース２４右端外周の平坦面を弾接摺動した後、図３（ｅ）に示すように、可動カム２７が窪部２４Ａに弾接する。
【００６７】
ただし、この時、本実施の形態においては、実施の形態１の場合とは異なり、付勢部材４４によって可動筐体４２が常に下方へ付勢されているため、この付勢部材４４の力がある程度大きな場合には、この付勢力によって可動カム２７が窪部２４Ａから外れて、図３（ｆ）に示すように、固定ケース２４の平坦面を上方向へ弾接摺動する。
【００６８】
したがって、この開操作時には可動筐体４２は、図６（ｃ）に示すような、固定筐体４１に対して中間の操作角度で開いた状態では保持されず、図７（ａ）の斜視図に示すように、可動筐体４２がさらに開いた後、図７（ｂ）に示すように、可動筐体４２が固定筐体４１に対して最大の操作角度、例えば１８０度近くまで開いて保持され、例えば受信したテレビ等の画像を、表示部４１Ａと４２Ａを合わせた大きな画面で見ることが可能な状態となる。
【００６９】
そして、この開状態から可動筐体４２を手で閉じ、図６（ｃ）に示す状態に戻した場合には、付勢部材４４の付勢力が大きく作用しないため、図３（ｅ）に示すように、可動カム２７が窪部２４Ａに弾接して、可動筐体４２が固定筐体４１に対して中間の操作角度で、例えば１００度前後開いた状態で保持され、例えば表示部４１Ａに表示されたキーボード等のキーを操作して、表示部４２Ａに文字入力等を行い易い状態となる。
【００７０】
なお、この可動カム２７が窪部２４Ａにほぼ垂直に弾接した状態では、ばね９の付勢力が、固定ケース２４外周の窪部２４Ａに弾接係合した可動体２５の、外周に形成された可動カム２７に大きなトルク力となって加わることで、可動筐体４２の中間角度での安定した保持が行われることは実施の形態１の場合と同様である。
【００７１】
また、この状態から可動筐体４２をさらに閉じると、可動ピン２６が反転カム２９や固定カム２の傾斜面を弾接摺動して、図３（ａ）や図６（ａ）に示した状態に戻り、可動筐体４２が携帯し易い閉じた状態となる。
【００７２】
つまり、手による開閉操作に加え、可動筐体４２を開く際には、押釦が装着された押圧体１４の押圧操作によって、可動体２５を上方向、すなわち開方向に回転させて、可動筐体４２をワンタッチで開く、所謂ワンタッチオープン操作が行えると共に、可動筐体４２が閉じた状態でも、中間の操作角度まで開いた状態でも、最大の操作角度まで開いた状態でも、いずれの操作角度においても可動筐体４２が保持され、各々の状態で様々な操作等が行えるようになっている。
【００７３】
すなわち、図６（ａ）の可動筐体４２が閉じた状態では、この上面に表示部４２Ａが設けられているため、閉状態でも表示されたメニューの選択等が行えると共に、図７（ｂ）の最大の操作角度では、表示部４１Ａと４２Ａを合わせた大きな画面で画像を見ることができ、また、この状態から可動筐体４２を閉じて、図６（ｃ）の中間の操作角度で保持した状態では、表示部４１Ａを操作して表示部４２Ａに文字入力等が行えるように構成されている。
【００７４】
さらに、回転可能な連結部材４３上端と可動筐体４２の間には、可動筐体４２を下方へ付勢する付勢部材４４が設けられ、可動筐体４２には操作角度にかかわりなく、付勢部材４４の復帰力によって常に下方へ付勢される力が加わっているため、可動筐体４２下端が固定筐体４１上面から離れて浮き上がることはなく、可動筐体４２下端が常に固定筐体４１上面に弾接した状態で、ぐらつきがなく安定した可動筐体４２の開操作や保持が行えるようになっている。
【００７５】
なお、以上の説明では、固定部４４Ａと可動部４４Ｂの間に複数のカムやばね等が設けられた付勢部材４４を用い、この付勢部材４４を連結部材４３上端と可動筐体４２の間に装着して、可動筐体４２を下方へ付勢する構成について説明したが、巻ばね等のばねを用い、この両端を連結部材４３上端と可動筐体４２に係止して、可動筐体４２を下方へ付勢する構成としても、本発明の実施は可能である。
【００７６】
また、以上の説明では、固定筐体４１と可動筐体４２の左側面に、下端に開閉装置３０、上端に付勢部材４４を装着した連結部材４３を、右側面に上下端にピン４６Ａと４６Ｂを装着した支持体４５を設けた構成について説明したが、図８の分解斜視図に示すように、略コの字状の連結部材４８を用い、この連結部材４８の左右端に開閉装置３０や付勢部材４４、ピン４６Ａや４６Ｂを装着するように構成することで、固定筐体４１や可動筐体４２との組立てを簡易に行うことができる。
【００７７】
このように本実施の形態によれば、開閉装置３０の固定ケース２４と可動ケース７を、連結部材４３の下端と固定筐体４１に固着すると共に、連結部材４３の上端を可動筐体４２に回転可能に装着して電子機器を構成することによって、可動筐体４２が閉じた状態でも、この上面に表示部４２Ａが設けられているため、表示されたメニューの選択等が行えると共に、入力操作等の行い易い中間角度と、画面が大きく見易い最大の操作角度まで開いた状態の、二つの操作角度に可動筐体４２を保持できるため、多様な操作が可能な電子機器を得ることができるものである。
【００７８】
また、連結部材４３の下端と固定筐体４１の間に、開閉装置３０を装着すると共に、連結部材４３の上端と可動筐体４２の間に、可動筐体４２を下方へ付勢する付勢部材４４を設けることで、可動筐体４２下端を常に固定筐体４１上面に弾接させて、安定した可動筐体４２の開操作や保持を行うことができる。
【産業上の利用可能性】
【００７９】
本発明による開閉装置及びこれを用いた電子機器は、中間角度での保持が確実に行え、多様な操作が可能なものを得ることができるという有利な効果を有し、主に各種電子機器に使用される開閉装置として有用である。
【符号の説明】
【００８０】
１  固定体
２  固定カム
３  固定軸
７  可動ケース
８  止め輪
９  ばね
１１  解除体
１３  解除カム
１４  押圧体
１５  押圧カム
１６  巻ばね
２４  固定ケース
２４Ａ  窪部
２５  可動体
２６  可動ピン
２７  可動カム
２８  反転体
２９  反転カム
３０  開閉装置
３１、４１  固定筐体
３１Ａ  操作部
３１Ｂ  音声入力部
３２、４２  可動筐体
３２Ａ、４１Ａ、４２Ａ  表示部
３２Ｂ  音声出力部
４３、４８  連結部材
４４  付勢部材
４４Ａ  固定部
４４Ｂ  可動部
４５  支持体
４６Ａ、４６Ｂ  ピン
【図１】
2012215282.tif 000003
【図２】
2012215282.tif 000004
【図３】
2012215282.tif 000005
【図４】
2012215282.tif 000006
【図５】
2012215282.tif 000007
【図６】
2012215282.tif 000008
【図７】
2012215282.tif 000009
【図８】
2012215282.tif 000010
【図９】
2012215282.tif 000011
【図１０】
2012215282.tif 000012
【図１１】
2012215282.tif 000013
【図１２】
2012215282.tif 000014